(57)【特許請求の範囲】
【請求項１】
内部に回路遮断器を設置可能で前面に開口を有する基台と、電路をＯＮ／ＯＦＦ操作すべく前記回路遮断器に回動可能に設けられた操作ハンドルを露出する窓部を備え、前記基台の前面を覆うように取り付けられる覆い枠と、前記窓部を介して露出する前記操作手段を被覆／露出可能に前記基台又は覆い枠に取り付けられた前扉とを備えた住宅用分電盤であって、
前記前扉を、前記操作ハンドルを被覆する閉塞位置と前記操作ハンドルを露出させる開放位置との間でスライド可能で、且つ、該スライド方向が前記操作ハンドルの回動方向と平行となり、さらに前記開放位置から前記閉塞位置への方向が前記操作ハンドルのＯＮ側への回動方向となるように設けるとともに、
前記前扉の後面に、前記前扉の前記閉塞位置へのスライド操作に伴ってＯＦＦ位置にある前記操作ハンドルと接触し、前記操作ハンドルをＯＮ操作するハンドル操作部材を備えたことを特徴とする住宅用分電盤。
【請求項２】
ハンドル操作部材を、前扉の後面に軸着される軸着部と操作ハンドルに接触する舌部とからなるものとし、さらに、前記操作ハンドルをＯＮ側へ操作する際に前記舌部にかかる負荷方向への前記舌部の回転を規制する規制手段を設け、
前記ハンドル操作部材は、前記前扉の開放操作に伴い前記ハンドル操作部材と前記操作ハンドルとが接触した場合、前記操作ハンドルとの接触に伴う負荷により回転して退避する一方、前記前扉の閉塞操作に伴い接触した場合、前記操作ハンドルをＯＮ側へ操作することを特徴とする請求項１に記載の住宅用分電盤。
【請求項３】
前扉を、上下方向へスライド可能で、且つ、閉塞位置からの下方へのスライドにより操作ハンドルを露出させるように備える一方、
前扉の取付対象に係止部又は被係止部の一方を、前記前扉に他方を夫々設け、前記係止部と前記被係止部との係止により前記前扉を前記閉塞位置にて保持するとともに、前記回路遮断器のトリップ動作をうけて前記係止部と前記被係止部との係止を解除する係止解除手段を設けたことを特徴とする請求項１又は２に記載の住宅用分電盤。
【発明の詳細な説明】
【技術分野】
【０００１】
本発明は、少なくとも一つの回路遮断器を内蔵した住宅用分電盤に関するものである。
【背景技術】
【０００２】
従来一般的な回路遮断器を内蔵した住宅用分電盤について、図７をもとに説明する。図７は、従来の住宅用分電盤６１を示した説明図である。
住宅用分電盤６１は、前面に開口を有する基台６２と、該基台６２の前面開口を開閉するための前扉６３とからなるものであって、基台６２には、主幹ブレーカ、及び複数の分岐ブレーカが内蔵されている。一方、前扉６３は、基台６２の前面開口の上縁に左右方向を軸として軸着されており、図７に示す如く、上下方向への回動操作により前面開口を開閉するようになっている。尚、このような構成を有する住宅用分電盤としては、たとえば特許文献１に開示されたものがある。
【０００３】
【特許文献１】特開２００６−２０２９０２号公報
【発明の開示】
【発明が解決しようとする課題】
【０００４】
しかしながら、上記従来の住宅用分電盤６１では、たとえば主幹ブレーカがトリップ動作すると、前扉６３を開放操作した後、主幹ブレーカの操作ハンドルを回動操作してＯＮとし、再び前扉６３を閉塞操作しなければならず、煩わしいといった問題がある。特に、主幹ブレーカのトリップにより停電してしまうと暗所での作業となることが考えられるため、そのような場合、主幹ブレーカの復帰操作及び前扉６３の開閉操作が一層煩わしくなると言える。また、一般的に住宅用分電盤は、図７に示す如く、天井付近の高所に設置されることが多いため、前扉６３を上下方向に回動操作して開閉する構成では、天井が邪魔となり十分に前面開口を開放できない、開閉操作が煩わしいといった問題もある。
【０００５】
そこで、本発明は、上記問題に鑑みなされたものであって、内蔵された回路遮断器がトリップした際、回路遮断器の復帰操作及び前扉の開閉操作をより簡易に行うことのできる使い勝手に優れた住宅用分電盤を提供しようとするものである。
【課題を解決するための手段】
【０００６】
上記目的を達成するために、本発明のうち請求項１に記載の発明は、内部に回路遮断器を設置可能で前面に開口を有する基台と、電路をＯＮ／ＯＦＦ操作すべく前記回路遮断器に回動可能に設けられた操作ハンドルを露出する窓部を備え、前記基台の前面を覆うように取り付けられる覆い枠と、前記窓部を介して露出する前記操作手段を被覆／露出可能に前記基台又は覆い枠に取り付けられた前扉とを備えた住宅用分電盤であって、前記前扉を、前記操作ハンドルを被覆する閉塞位置と前記操作ハンドルを露出させる開放位置との間でスライド可能で、且つ、該スライド方向が前記操作ハンドルの回動方向と平行となり、さらに前記開放位置から前記閉塞位置への方向が前記操作ハンドルのＯＮ側への回動方向となるように設けるとともに、前記前扉の後面に、前記前扉の前記閉塞位置へのスライド操作に伴ってＯＦＦ位置にある前記操作ハンドルと接触し、前記操作ハンドルをＯＮ操作するハンドル操作部材を備えたことを特徴とする。
請求項２に記載の発明は、請求項１に記載の発明において、ハンドル操作部材を、前扉の後面に軸着される軸着部と操作ハンドルに接触する舌部とからなるものとし、さらに、前記操作ハンドルをＯＮ側へ操作する際に前記舌部にかかる負荷方向への前記舌部の回転を規制する規制手段を設け、前記ハンドル操作部材は、前記前扉の開放操作に伴い前記ハンドル操作部材と前記操作ハンドルとが接触した場合、前記操作ハンドルとの接触に伴う負荷により回転して退避する一方、前記前扉の閉塞操作に伴い接触した場合、前記操作ハンドルをＯＮ側へ操作することを特徴とする。
請求項３に記載の発明は、請求項１又は２に記載の発明において、前扉を、上下方向へスライド可能で、且つ、閉塞位置からの下方へのスライドにより操作ハンドルを露出させるように備える一方、前扉の取付対象に係止部又は被係止部の一方を、前記前扉に他方を夫々設け、前記係止部と前記被係止部との係止により前記前扉を前記閉塞位置にて保持するとともに、前記回路遮断器のトリップ動作をうけて前記係止部と前記被係止部との係止を解除する係止解除手段を設けたことを特徴とする。
【発明の効果】
【０００７】
本発明によれば、前扉の後面に、前扉の開閉操作に伴ってＯＦＦ位置にある操作ハンドルと接触するハンドル操作部材を設けており、前扉を閉塞するに際して、ハンドル操作部材が操作ハンドルをＯＮ操作するようにしている。したがって、トリップに伴って前扉を閉塞操作するだけで、回路遮断器をＯＮ操作可能であり、特に暗所等における使い勝手が非常によい。
また、請求項２に記載の発明によれば、ハンドル操作部材は、前扉の開放操作に伴いハンドル操作部材と操作ハンドルとが接触した場合、操作ハンドルとの接触に伴う負荷により回転して退避する一方、前扉の閉塞操作に伴い接触した場合、操作ハンドルをＯＮ側へ操作可能に取り付けられている。したがって、既にＯＦＦ位置にある操作ハンドルに対してハンドル操作部材が無理な負荷をかけ、回路遮断器を破損・故障させてしまうといった事態を防止することができる。
さらに、請求項３に記載の発明によれば、回路遮断器のトリップ動作をうけて係止部と被係止部との係止を解除する係止解除手段を設けており、回路遮断器がトリップ動作した際、前扉を自動的に開放動作させ、操作ハンドルの露出させるようにしている。したがって、作業者等はトリップ時に一々前扉を手動で開放操作する必要がなく、使い勝手が極めてよい。加えて、前扉を、基台からの下方へのスライドにより操作ハンドルを露出させるように設けているため、たとえ天井付近の高所に設置されたとしても、天井が邪魔となり十分に操作ハンドルを露出できない、開閉操作が煩わしいといった問題が生じない。
【発明を実施するための最良の形態】
【０００８】
以下、本発明の一実施形態となる住宅用分電盤（以下、単に分電盤と称す）について、図面をもとに説明する。
【０００９】
図１は、本実施例に係る分電盤１の外観を示した斜視説明図であり、図２は、分電盤１の前扉３が開放位置にある状態を示した斜視説明図である。また、図３は、分電盤１の縦断面説明図である。
分電盤１は、前面に開口を有する箱状の基台２と、前面開口を覆うように基台２に取り付けられる覆い枠７と、該覆い枠７の前面に取り付けられた前扉３とからなるものであって、基台２内には、１つの主幹ブレーカ（回路遮断器）４と、複数の分岐ブレーカ５、５・・とが設置されている。また、覆い枠７には、複数の窓部６、６・・が開設されている。そして、各窓部６を介して主幹ブレーカ４の操作ハンドル（係止解除手段）４ａ及び分岐ブレーカ５の操作ハンドル５ａが覆い枠７よりも前方へ突出しており、覆い枠７の前面側から各操作ハンドル４ａ、５ａが操作可能となっている（以下、覆い枠７における各操作ハンドル４ａ、５ａの露出部近傍を操作部と称す）。さらに、覆い枠７上部には、後述する前扉３の保持片（係止部）１１が係止可能な係止凹部（被係止部）８が設けられている。加えて、覆い枠７の前面下部には、後述の如くして前扉３が開放動作した際、操作部が十分広く開放された所定の開放位置で前扉３を支持する（すなわち、前扉３の脱落を防止する）ための支持部材（図示しない）が備えられている。
【００１０】
尚、主幹ブレーカ４の操作ハンドル４ａは、主幹ブレーカ４本体に対して起立する起立位置と、主幹ブレーカ４本体側へ傾倒する傾倒位置との間で回動可能に設けられており、傾倒位置がＯＮ位置となり、過電流や漏電等の異常の発生を検知するとトリップ動作して操作ハンドル４ａが起立し、回路を遮断するようになっている（つまり、起立位置がＯＦＦ位置となる）。そして、該主幹ブレーカ４は、操作ハンドル４ａの回動方向が上下方向となり、且つ、操作ハンドル４ａをＯＮ操作した際、操作ハンドル４ａが上方へ傾倒するように基台２へ設置されている。したがって、トリップ動作に伴う操作ハンドル４ａのＯＦＦ側への回動により、操作ハンドル４ａはＯＮ位置よりも前方へ突出することになる。
【００１１】
一方、前扉３は、覆い枠７の前面に上下方向へスライド可能に取り付けられており、覆い枠７の操作部を被覆して閉塞する閉塞位置からの下方へのスライドにより、操作部を露出させ開放するようになっている。また、前扉３の上部には、覆い枠７の係止凹部８に係止して前扉３を閉塞位置にて保持するための保持片１１が上方へ突設されている。さらに、前扉３の後面で、且つ、閉塞位置に位置させた際に主幹ブレーカ４の操作ハンドル４ａの前方となる位置には、押圧板１２が取り付けられている。そして、前扉３を閉塞位置に位置させると、ＯＮ位置にある操作ハンドル４ａの先端部が押圧板１２に当接するようになっている。そのため、当該状態から操作ハンドル４ａがＯＦＦ側へ回動すると、操作ハンドル４ａにより前扉３が前方へ押圧され、該押圧力によって保持片１１と係止凹部８との係止が解除となり、前扉３が下方へスライドして操作部が開放されることになる。
【００１２】
加えて、前扉３の後面で、押圧板１２の上方となる位置には、ハンドル操作片１３が取り付けられている。ハンドル操作片１３は、前扉３に軸着される頭部１３ａ（図５に示す）と、該頭部１３ａに一体的に設けられた舌部１３ｂ（図５に示す）とからなり、舌部１３ｂを略水平方向へ延ばした操作位置を初期位置として、当該操作位置から上側（前面から見て反時計回り）方向へのみ回転可能に取り付けられ、操作位置から下側への回転は規制部材（図示せず）により規制されている。そして、該ハンドル操作片１３は、前扉３の上下方向へのスライド時に舌部１３ｂがＯＦＦ位置にある操作ハンドル４ａと接触し、後述の如くして操作ハンドル４ａを操作する。
【００１３】
ここで、主幹ブレーカ４が異常の発生を検知しトリップ動作した場合における分電盤１の動作、及びトリップ状態から通常状態への復帰操作について図４〜図６をもとに説明する。図４は、主幹ブレーカ４のトリップ動作に伴う各部の動作を示した部分断面説明図であり、図５及び６は、ハンドル操作片１３による操作ハンドル４ａの操作を示した説明図である。
【００１４】
まず、異常の発生が検知されない通常状態にあっては、当然主幹ブレーカ４の操作ハンドル４ａは上方へ傾倒したＯＮ位置にあり、前扉３は閉塞位置に位置し、保持片１１と係止凹部８との係止により該閉塞位置にて保持されている（図４（ａ））。
ここで、過電流や漏電等といった異常の発生が検知されると、主幹ブレーカ４はトリップ動作し、ＯＮ位置にある操作ハンドル４ａがＯＦＦ側へ回動して回路を遮断する。このＯＦＦ側への回動により操作ハンドル４ａが押圧板１２を押圧するため、該押圧力によって保持片１１と係止凹部８との係止が解除となり、前扉３は支えを失って下方へスライドし、操作部を開放する（図４（ｂ））。また、前扉３の下方へのスライド時に、ハンドル操作片１３の舌部１３ｂが操作ハンドル４ａに接触するものの、該接触によりハンドル操作片１３は頭部１３ａを軸として上側方向へ回転して退避し、操作ハンドル４ａを操作しない（図５）。尚、操作ハンドル４ａがＯＮ位置にある通常状態において手動により前扉３を開放した場合、ハンドル操作片１３は、操作ハンドル４ａに接触することはなく、当然操作ハンドル４ａをＯＦＦ側等へ操作したりしない。
【００１５】
次に、上記トリップ状態から通常状態へ復帰させるにあたっては、開放している前扉３を保持片１１と係止凹部８とが係止するまで上方へスライドさせて、操作部を閉塞すればよい。この時、前扉３の上方へのスライドに伴い、図６に示す如く、ハンドル操作片１３の舌部１３ｂが起立状態にある操作ハンドル４ａに下方から接触することになる。しかしながら、前扉３の開放時とは異なり、舌部１３ｂの下側方向への回転は規制されているため、舌部１４ｂが操作ハンドル４を上方へ押し上げ（すなわち、ＯＮ側へ回動させ）、最終的に操作ハンドル４ａをＯＮ位置とする。したがって、主幹ブレーカ４は、前扉３を閉塞操作するだけで、通常状態へ復帰することになる。
【００１６】
以上のような構成を有する分電盤１によれば、覆い枠７の前面に下方へスライドする前扉３を備える一方、傾倒位置がＯＮ位置となるとともに起立位置がＯＦＦ位置となるように操作ハンドル４ａを設けた主幹ブレーカ４を、ＯＮ位置からＯＦＦ側への回動で操作ハンドル４ａが前方へ突出するように、且つ、ＯＮ位置にある操作ハンドル４ａの先端部が前扉３の後面に当接するように基台２内に設置しており、主幹ブレーカ４のトリップ動作に伴う操作ハンドル４ａのＯＦＦ側への回動によって前扉３が前方へ押圧され、該押圧力により前扉３を閉塞位置で保持する保持片１１と係止凹部８との係止が解除となるようにしている。そのため、主幹ブレーカ４のトリップ動作に伴って、自動的に前扉３が下方へスライドし、覆い枠７の操作部が開放されることになる。したがって、作業者はトリップ時に一々前扉３を手動で開放する必要がなく、特に主幹ブレーカ４のトリップにより暗所となった場合における使い勝手がよい。また、前扉３を、下方へのスライドにより操作部を開放するように設けているため、たとえ天井付近の高所に設置されたとしても、天井が邪魔となり十分に操作部を開放できない、開閉操作が煩わしいといった問題が生じない。
【００１７】
また、分電盤１によれば、前扉３の後面に、前扉３のスライドに伴って操作ハンドル４ａに接触するハンドル操作片１３を設けており、前扉３を閉塞するに際して、ハンドル操作片１３が操作ハンドル４ａをＯＮ操作するようにしている。したがって、トリップに伴って開放位置にある前扉３を上方へスライドさせて閉塞するだけで、主幹ブレーカ４についてはＯＮ操作可能であり、特に暗所等における使い勝手が非常によい。
さらに、ハンドル操作片１３は、舌部１３ｂを略水平方向へ延ばした操作位置を初期位置として、当該操作位置から上側（前面から見て反時計回り）方向へは回転可能に取り付けられている。そのため、前扉３が開放方向へスライドするに際し、既にＯＦＦ位置にある操作ハンドル４ａに対して上側から下側へ（すなわち、ＯＦＦ操作側へ）負荷がかかるように接触した場合、上側へ回転して退避し操作ハンドル４ａを操作しない。したがって、既にＯＦＦ位置にある操作ハンドル４ａに対して無理な負荷がかかり、主幹ブレーカ４が破損・故障してしまうといった事態を防止することができる。
【００１８】
なお、本発明の分電盤に係る構成は、上記実施形態に記載の態様に何ら限定されるものではなく、前扉、覆い枠、及び基台の構造、基台内部に設置する回路遮断器の数や設置位置等に係る構成を、本発明の趣旨を逸脱しない範囲で必要に応じて適宜変更することができる。
【００１９】
たとえば、前扉を閉塞位置で保持する構成としては、上記保持片と係止凹部との係止に限定されることはなく、前扉に凹部を設ける一方、覆い枠に通電状態にあっては前扉の凹部内へ突出する突出体（係止部）を備えたソレノイド（係止解除手段）を設け、主幹ブレーカ等が通電状態にある通常状態にあっては、該ソレノイドにより前扉を閉塞位置で保持し、トリップにより停電状態となるとソレノイドの突出体が引き込まれ（凹部内から引き出され）、前扉が開放方向へスライドするような構成とすることも可能である。尚、当該構成を採用するにあたっては、ソレノイドをＯＮ／ＯＦＦするための操作部材を別途基台や覆い枠外部に設けた方がよい。
【００２０】
また、上記実施形態においては、主幹ブレーカのトリップ動作に伴って前扉が自動的に開放したり、前扉を閉塞する際に主幹ブレーカの操作ハンドルをＯＮ操作するような構成としているが、分岐ブレーカ（回路遮断器）のトリップ動作によって前扉が自動的に開放するようにしてもよいし、前扉の閉塞時に分岐ブレーカの操作ハンドルをＯＮ操作するように構成することも当然可能である。
さらに、上記実施形態では前扉を下方へスライドさせることにより操作部を開放するように構成しているが、前扉を開放方向へ付勢する付勢手段を設けることにより、水平方向へのスライドにより前面開口を開放させることも可能であるし、上方へのスライドにより前面開口を開放させることも可能である。尚、上記実施形態に記載の構成であれば付勢手段等を設ける必要がなく、構成の合理化を図ることができる。
加えて、前扉と覆い枠とのどちらに係止部を設け、どちらに被係止部を設けるかは適宜変更可能であるし、前扉を覆い枠ではなく基台に取り付けるように構成することも可能である（この場合、基台に係止部又は被係止部を設けてもよいことは言うまでもない）。
【図面の簡単な説明】
【００２１】
【図１】本発明に係る分電盤の外観を示した斜視説明図である。
【図２】分電盤の前扉が開放位置にある状態を示した斜視説明図である。
【図３】分電盤の縦断面説明図である。
【図４】主幹ブレーカのトリップ動作に伴う各部の動作を示した部分断面説明図である。
【図５】ハンドル操作片による操作ハンドルの操作を示した説明図である。
【図６】ハンドル操作片による操作ハンドルの操作を示した説明図である。
【図７】従来の分電盤を示した説明図である。
【符号の説明】
【００２２】
１・・分電盤、２・・基台、３・・前扉、４・・主幹ブレーカ、４ａ・・操作ハンドル、５・・分岐ブレーカ、５ａ・・操作ハンドル、７・・覆い枠、８・・係止凹部、１１・・保持片、１２・・押圧板、１３・・ハンドル操作片、１３ａ・・頭部、１３ｂ・・舌部。
【図１】
0004994980.tif 000002
【図２】
0004994980.tif 000003
【図３】
0004994980.tif 000004
【図４】
0004994980.tif 000005
【図５】
0004994980.tif 000006
【図６】
0004994980.tif 000007
【図７】
0004994980.tif 000008